(57)【特許請求の範囲】
【請求項１】
流体噴射装置であって、
流体供給ユニットを配置可能なキャリッジユニットと、
前記流体供給ユニットに送信される電気的信号を伝送可能な配線ケーブルと、
を備え、
前記キャリッジユニットは、
前記流体供給ユニットが配置可能な流体供給ユニット配置領域と、
前記流体供給ユニットに電気的に接触可能なコネクターユニットと、
前記コネクターユニットに電気的に接続可能な配線基体と、
を備え、
前記配線基体は、前記コネクターユニットに電気的に接触可能な電極部と、前記電極部に電気的に接続されるとともに、前記配線ケーブルが接続されるケーブル接続部と、を前記流体供給ユニット配置領域の方を向いている基体面に有し、
前記配線基体は、前記配線基体から前記流体供給ユニット配置領域に向かう第１の方向に沿って見たときに、前記流体供給ユニット配置領域に配置されている前記流体供給ユニットと重なる位置に配置されており、
前記電極部から前記ケーブル接続部に向かう前記基体面に沿った第２の方向における前記配線基体の幅は、前記第２の方向における前記流体供給ユニット配置領域の幅と等しい、または前記第２の方向における前記流体供給ユニット配置領域の幅より小さく、
前記ケーブル接続部は、前記配線基体において、前記基体面にのみ設けられている、流体噴射装置。
【請求項２】
請求項１記載の流体噴射装置であって、
前記コネクターユニットと前記ケーブル接続部とは、前記第１の方向において、前記流体供給ユニット配置領域に配置されている前記流体供給ユニットと重なる位置に配置されている、流体噴射装置。
【請求項３】
請求項１または請求項２記載の流体噴射装置であって、
前記キャリッジユニットは、前記流体供給ユニットが前記流体供給ユニット配置領域から離れる方向に移動することを制限可能な係止部を備え、
前記係止部は、前記キャリッジユニットを前記第１の方向と前記第２の方向とに交差する第３の方向に沿って見たときに、前記配線基体の少なくとも一部と前記コネクターユニットの少なくとも一部とに重なる位置に配置されている、流体噴射装置。
【請求項４】
請求項１から請求項３のいずれか一項に記載の流体噴射装置であって、
前記キャリッジユニットは、前記流体供給ユニットとして、少なくとも第１と第２の流体供給ユニットを配置可能に構成されており、
前記キャリッジユニットは、前記コネクターユニットとして、少なくとも、前記第１の流体供給ユニットに電気的に接続可能な第１のコネクターユニットと、前記第２の流体供給ユニットに電気的に接続可能な第２のコネクターユニットと、を有し、
前記流体供給ユニット配置領域には、前記第１と第２の流体供給ユニットがそれぞれ前記第２の方向における端部にひとつずつ配置可能である、流体噴射装置。
【請求項５】
請求項４記載の流体噴射装置であって、
前記配線基体は、前記電極部として、少なくとも、前記第１のコネクターユニットに電気的に接続可能な第１の電極部と、前記第２のコネクターユニットに電気的に接続可能な第２の電極部と、を有し、
前記配線基体は、さらに、前記ケーブル接続部を介して前記配線ケーブルと前記第１と第２の電極部とを電気的に並列に接続する配線群を有している、流体噴射装置。
【請求項６】
請求項５記載の流体噴射装置であって、
前記第２の流体供給ユニットは、前記第１の流体供給ユニットよりも前記第２の方向における幅が大きく、
前記ケーブル接続部は、前記第２の電極部とともに、前記第１の方向において、前記第２の流体供給ユニットと重なり合う位置に形成されている、流体噴射装置。
【請求項７】
請求項１から請求項６のいずれか一項に記載の流体噴射装置であって、
前記流体供給ユニットは、前記第１の方向において、前記コネクターユニットと重なる第１部位と、前記ケーブル接続部と重なる第２部位と、を有し、
前記第１部位には、前記コネクターユニットと電気的に接触可能な端子部が配置されており、
前記端子部は、前記第１の方向において、前記第２部位よりも前記コネクターユニット側に突出している、流体噴射装置。
【発明の詳細な説明】
【技術分野】
【０００１】
本発明は、流体噴射装置に関する。
【背景技術】
【０００２】
流体を噴射する流体噴射装置の一態様としては、例えば、インクジェットプリンター（以下、単に「プリンター」とも呼ぶ。）が知られている。プリンターは、印刷面に対してインク滴を吐出することによって画像を形成する。プリンターは、流体供給ユニットの一態様であるインクカートリッジ（以下、単に「カートリッジ」とも呼ぶ）を介してインクの供給を受ける。カートリッジは通常、プリンターが備えるキャリッジに着脱可能に装着される（例えば、特許文献１，２等）。キャリッジには、プリンターとカートリッジとが互いに電気信号のやりとりをするための端子部などが設けられている。
【先行技術文献】
【特許文献】
【０００３】
【特許文献１】特開２００８−９９３号公報
【特許文献２】特開２０１４−３４１４７号公報
【発明の概要】
【発明が解決しようとする課題】
【０００４】
プリンターにおいては、従来からキャリッジを小型化することが望まれており、日々研究が積み重ねられている。
【課題を解決するための手段】
【０００５】
本発明は、プリンターに限らず、キャリッジに相当する構成を備える流体噴射装置における上述の課題を解決するためになされたものであり、以下の形態として実現することが可能である。本発明の第１の形態は、流体噴射装置であって；流体供給ユニットを配置可能なキャリッジユニットと；前記流体供給ユニットに送信される電気的信号を伝送可能な配線ケーブルと；を備え、前記キャリッジユニットは；前記流体供給ユニットが配置可能な流体供給ユニット配置領域と；前記流体供給ユニットに電気的に接触可能なコネクターユニットと；前記コネクターユニットに電気的に接続可能な配線基体と；を備え、前記配線基体は、前記コネクターユニットに電気的に接触可能な電極部と、前記電極部に電気的に接続されるとともに、前記配線ケーブルが接続されるケーブル接続部と、を前記流体供給ユニット配置領域の方を向いている基体面に有し；前記配線基体は、前記配線基体から前記流体供給ユニット配置領域に向かう第１の方向に沿って見たときに、前記流体供給ユニット配置領域に配置されている前記流体供給ユニットと重なる位置に配置されており；前記電極部から前記ケーブル接続部に向かう前記基体面に沿った第２の方向における前記配線基体の幅は、前記第２の方向における前記流体供給ユニット配置領域の幅と等しい、または前記第２の方向における前記流体供給ユニット配置領域の幅より小さく；前記ケーブル接続部は、前記配線基体において、前記基体面にのみ設けられている、流体噴射装置として提供される。
【０００６】
［１］本発明の一形態によれば、流体噴射装置が提供される。この流体噴射装置は、キャリッジユニットと、配線ケーブルと、を備える。前記キャリッジユニットは、流体供給ユニットを配置可能であって良い。前記配線ケーブルは、前記流体供給ユニットに送信される電気的信号を伝送可能であって良い。前記キャリッジユニットは、流体供給ユニット配置領域と、コネクターユニットと、配線基体と、を備えて良い。前記流体供給ユニット配置領域は、前記流体供給ユニットを配置可能であって良い。前記コネクターユニットは、前記流体供給ユニットに電気的に接触可能であって良い。前記配線基体は、前記コネクターユニットに電気的に接続可能であって良い。前記配線基体は、前記コネクターユニットに電気的に接触可能な電極部と、前記電極部に電気的に接続されるとともに、前記配線ケーブルが接続されるケーブル接続部と、を前記流体供給ユニット配置領域の方を向いている基体面に有して良い。前記配線基体は、前記配線基体から前記流体供給ユニット配置領域に向かう第１の方向に沿って見たときに、前記流体供給ユニット配置領域に配置されている前記流体供給ユニットと重なる位置に配置されていて良い。前記電極部から前記ケーブル接続部に向かう前記基体面に沿った第２の方向における前記配線基体の幅は、前記第２の方向における前記流体供給ユニット配置領域の幅と等しい、または前記第２の方向における前記流体供給ユニット配置領域の幅より小さくて良い。この形態の流体噴射装置によれば、配線基体の基体面に電極部とケーブル接続部とが集約されているため第１の方向におけるキャリッジユニットの小型化が可能である。また、第２の方向における配線基体の幅が第２の方向における流体供給ユニット配置領域の幅と等しく、または第２の方向における流体供給ユニット配置領域の幅より小さく規定されているため、第２の方向におけるキャリッジの小型化が可能である。
【０００７】
［２］上記形態の流体噴射装置において、前記コネクターユニットと前記ケーブル接続部とは、前記第１の方向において、前記流体供給ユニット配置領域に配置されている前記流体供給ユニットと重なる位置に配置されて良い。この形態の流体噴射装置によれば、配線基体において第２の方向に配列されている電極部とケーブル接続部とが流体供給ユニットと対向する位置に集約される。従って、第２の方向におけるキャリッジユニットのさらなる小型化が可能である。
【０００８】
［３］上記形態の流体噴射装置において、前記キャリッジユニットは、前記第２の方向に沿って往復移動可能に構成されていて良い。この形態の流体噴射装置によれば、キャリッジユニットが第２の方向において小型化されているため、流体噴射装置内の限られた空間内におけるキャリッジユニットの往復移動範囲を増大させることができる。
【０００９】
［４］上記形態の流体噴射装置において、前記ケーブル接続部は、前記基体面に取り付けられ、前記配線ケーブルが嵌合的に接続可能な嵌合接続部であって良い。この形態の流体噴射装置によれば、キャリッジユニットを第１の方向において小型化しつつ、ケーブル接続部に対する配線ケーブルの接続性が高めることができる。
【００１０】
［５］上記形態の流体噴射装置において、前記嵌合接続部は、前記配線ケーブルを前記第２の方向に沿って接続可能に構成されていて良い。この形態の流体噴射装置によれば、キャリッジユニットを第１の方向においてさらに小型化することができる。
【００１１】
［６］上記形態の流体噴射装置において、前記ケーブル接続部は、前記配線基体に対して前記配線ケーブルが半田付けされている部位であって良い。この形態の流体噴射装置によれば、ケーブル接続部を第１の方向において小型化でき、キャリッジユニットを第１の方向においてさらに小型化することができる。
【００１２】
［７］上記形態の流体噴射装置において、前記キャリッジユニットは、前記流体供給ユニットが前記流体供給ユニット配置領域から離れる方向に移動することを制限可能な係止部を備え、前記係止部は、前記キャリッジユニットを前記第１の方向と前記第２の方向とに交差する第３の方向に沿って見たときに、前記配線基体の少なくとも一部と前記コネクターユニットの少なくとも一部とに重なる位置に配置されていて良い。この形態の流体噴射装置によれば、流体供給ユニットを係止する係止部とコネクタユニットと配線基板とを集約して配置できるため、キャリッジユニットの小型化が可能である。
【００１３】
［８］上記形態の流体噴射装置において、前記キャリッジユニットは、前記流体供給ユニットとして、少なくとも第１と第２の流体供給ユニットを配置可能に構成されており、前記キャリッジユニットは、前記コネクターユニットとして、少なくとも、前記第１の流体供給ユニットに電気的に接続可能な第１のコネクターユニットと、前記第２の流体供給ユニットに電気的に接続可能な第２のコネクターユニットと、を有し、前記流体供給ユニット配置領域には、前記第１と第２の流体供給ユニットがそれぞれ前記第２の方向における端部にひとつずつ配置可能であって良い。この形態の流体噴射装置によれば、２つ以上の流体供給ユニットが配置可能なキャリッジユニットの小型化が可能である。
【００１４】
［９］上記形態の流体噴射装置において、前記配線基体は、前記電極部として、少なくとも、前記第１のコネクターユニットに電気的に接続可能な第１の電極部と、前記第２のコネクターユニットに電気的に接続可能な第２の電極部と、を有し、前記配線基体は、さらに、前記ケーブル接続部を介して前記配線ケーブルと前記第１と第２の電極部とを電気的に並列に接続する配線群を有していて良い。この形態の流体噴射装置によれば、ケーブル配線と第１と第２の電極部とを簡易な構成で接続することができ、配線基体を小型化できる。
【００１５】
［１０］上記形態の流体噴射装置において、前記第２の流体供給ユニットは、前記第１の流体供給ユニットよりも前記第２の方向における幅が大きく、前記ケーブル接続部は、前記第２の電極部とともに、前記第１の方向において、前記第２の流体供給ユニットと重なり合う位置に形成されていても良い。この形態の流体噴射装置によれば、ケーブル接続部の配置領域を第２の流体供給ユニットと配線記基体との間に確保することができ、空間利用効率を高めることができる。
【００１６】
［１２］上記形態の流体噴射装置において、前記流体供給ユニットは、前記第１の方向において、前記コネクターユニットと重なる第１部位と、前記ケーブル接続部と重なる第２部位と、を有し、前記第１部位には、前記コネクターユニットと電気的に接触可能な端子部が配置されており、前記端子部は、前記第１の方向において、前記第２部位よりも前記コネクターユニット側に突出していて良い。この形態の流体噴射装置によれば、配線基体と流体供給ユニットとの間の空間の利用効率を高めることができる。
【００１７】
［１３］上記形態の流体噴射装置は、さらに、前記キャリッジユニットに配置されている前記流体供給ユニットを備えて良い。前記流体供給ユニットは、前記流体供給ユニット配置領域に配置される筐体と、前記筐体に連通する流体導入管と、を含んでいて良い。この形態の流体噴射装置によれば、流体供給ユニット配置領域に配置される筐体の小型化によって、キャリッジユニットの小型化が可能である。
【００１８】
［１４］上記形態の流体噴射装置において、前記流体供給ユニットは、前記流体導入管に連通する流体収容容器を含んでいて良い。この形態の流体噴射装置によれば、流体供給ユニットの筐体をさらに小型化することができ、キャリッジユニットのさらなる小型化が可能である。
【００１９】
上述した本発明の各形態の有する複数の構成要素はすべてが必須のものではなく、上述の課題の一部又は全部を解決するため、あるいは、本明細書に記載された効果の一部又は全部を達成するために、適宜、前記複数の構成要素の一部の構成要素について、その変更、削除、新たな他の構成要素との差し替え、限定内容の一部削除を行うことが可能である。また、上述の課題の一部又は全部を解決するため、あるいは、本明細書に記載された効果の一部又は全部を達成するために、上述した本発明の一形態に含まれる技術的特徴の一部又は全部を上述した本発明の他の形態に含まれる技術的特徴の一部又は全部と組み合わせて、本発明の独立した一形態とすることも可能である。
【００２０】
本発明は、流体噴射装置以外の種々の形態で実現することが可能である。例えば、流体噴射装置が備えるキャリッジユニットや流体供給ユニット、流体供給ユニットが配置されるホルダー部等の形態で実現することができる。また、本発明は、流体噴射装置と流体供給ユニットとの間の電気的接続部や電気的接続構造等の形態で実現することもできる。
【図面の簡単な説明】
【００２１】
【図１】印刷装置の外観構成を示す概略斜視図。
【図２】印刷装置が備える印刷機構部の外観構成を示す概略斜視図。
【図３】第１と第２のカートリッジが装着されている状態のキャリッジを示す概略斜視図。
【図４】ホルダー部を正面側の上方からみたときの上方斜視図。
【図５】ホルダー部を背面側からみたときの上方斜視図。
【図６】ホルダー部の下方斜視図。
【図７】ホルダー部の分解斜視図。
【図８】ホルダー部の正面壁部に取り付けられている状態のレバー部とコネクターユニットと配線基板を背面側から見たときの上方斜視図。
【図９】レバー部の構成を説明するための概略図。
【図１０】コネクターユニットの後方側の面を示す概略斜視図。
【図１１】コネクターユニットの前方側の面を示す概略斜視図。
【図１２】コネクターユニットの概略断面図。
【図１３】配線基板の上側端面とコネクターユニットと対向する側の面とを対応させて示す概略図。
【図１４】配線基板における配線の接続構成を説明するための概略図。
【図１５】第１のカートリッジの上方斜視図。
【図１６】第１のカートリッジの下方斜視図。
【図１７】第１のカートリッジの概略断面図。
【図１８】回路基板における複数の端子の配列構成を示す概略図。
【図１９】第２のカートリッジの上方斜視図。
【図２０】第２のカートリッジの下方斜視図。
【図２１】ホルダー部におけるコネクターユニットと配線基板の配置領域を示す概略図。
【図２２】カートリッジが装着されている状態におけるホルダー部の電気的接続部の近傍部位の概略断面図。
【図２３】第２実施形態としての印刷装置の構成を説明するための概略図。
【図２４】第３実施形態の印刷装置が備えるキャリッジの構成を示す概略図。
【図２５】第４実施形態の印刷装置の構成を説明するための概略図。
【発明を実施するための形態】
【００２２】
A．第１実施形態：
図１は、本発明の第１実施形態としての印刷装置１０の外観構成を示す概略斜視図である。図１には互いに直交する三方向を示す矢印Ｘ，Ｙ，Ｚが図示されている。矢印Ｘは、印刷装置１０の横方向（幅方向）に平行な左右方向を示しており、ユーザーが印刷装置１０に正対したときの左側から右側に向かう方向を示している。本実施形態では矢印Ｘの方向は印刷装置１０におけるキャリッジ２７の主走査方向と平行である（後述）。矢印Ｙは、印刷装置１０の前後方向に平行な方向を示しており、ユーザーが印刷装置１０に正対したときの後方側（背面側）から前方側（正面側）に向かう方向を示している。本実施形態では矢印Ｙの方向は副走査方向に一致する（後述）。矢印Ｚは、印刷装置１０の高さ方向を示しており、印刷装置１０が載置される載置面に対して垂直上方を示している。なお、本明細書の説明に用いられる他の各図においても、矢印Ｘ，Ｙ，Ｚが、適宜、図１と対応するように図示されている。また、本明細書において、「左」あるいは「右」と呼ぶときは、矢印Ｘの方向を基準とする方向を意味している。同様に、「前」あるいは「後」と呼ぶときは、印刷装置１０の矢印Ｙの方向を基準とする方向を意味しており、「上」あるいは「下」と呼ぶときは、印刷装置１０の矢印Ｚの方向を基準とする方向を意味している。
【００２３】
印刷装置１０は、流体噴射装置の一態様であるインクジェットプリンターである。印刷装置１０は、外部から供給される印刷データに応じて印刷用紙にインク滴を吐出することによって画像を形成する。印刷装置１０は、筐体１１と、給紙口１２と、上面カバー１３と、排紙口１４と、操作部１６と、を備える。筐体１１は印刷装置１０の印刷機構部（後述）を収容する外装部材である。給紙口１２は筐体１１の後方において上方に向かって開口するように設けられた開口部である。印刷媒体である印刷用紙は、給紙口１２を介して筐体１１の内部の本体部に供給される。
【００２４】
上面カバー１３は給紙口１２近傍において筐体１１に回動可能に取り付けられた板状部材である。上面カバー１３は開いた状態（図示されている状態）のときには、給紙口１２に印刷用紙を送り込むときのガイド板として機能し、閉じた状態のときには筐体１１の上面中央を被覆して保護する蓋部として機能する。排紙口１４は筐体１１の前面に設けられた開口部である。給紙口１２を介して筐体１１内部に送り込まれた印刷用紙は排紙口１４を介して外部に排出される。操作部１６は、ユーザーの操作を受け付けるボタンや、ユーザーに対して情報を表示する表示部を備える。操作部１６は、筐体１１の上面に設けられており、ユーザーは上面カバー１３が開いた状態のときに操作部１６にアクセスすることができる。
【００２５】
図２は印刷装置１０の筐体１１内から取り出された印刷機構部２０の外観構成を示す概略斜視図である。図２にはキャリッジ２７の移動軌跡が破線によって模式的に図示されている。印刷機構部２０は、制御部２１と、搬送部２２と、印刷部２３と、を備える。制御部２１は中央処理装置と主記憶装置とを備えるマイクロコンピューターによって構成されている。制御部２１は、操作部１６を介したユーザーの操作や外部のコンピューターからの指令に応じて印刷装置１０の各構成部を制御して印刷処理を実行する。
【００２６】
搬送部２２は、給紙口１２（図１）から導入された印刷用紙を、搬送ローラー２５の回動駆動によって、印刷機構部２０の内部において矢印Ｙの方向に向かって延びている搬送路（図示は省略）を介して排紙口１４まで搬送する。印刷装置１０のキャリッジ２７の下方の位置では、紙送り方向である副走査方向は矢印Ｙの方向に一致する。
【００２７】
印刷部２３は、印刷用紙の搬送路上に配置されており、搬送部２２によって搬送されている印刷用紙に対する印刷を実行する。印刷部２３は、キャリッジ２７と、ガイドレール２８と、を備える。キャリッジ２７は、キャリッジユニットに相当する。本実施形態の印刷装置１０は、いわゆるオンキャリッジタイプであり、キャリッジ２７には、ホルダー部２００を介して２つのカートリッジ１００ａ，１００ｂが着脱可能に装着されている。キャリッジ２７の下側にはインク滴を吐出する印刷ヘッド（図示は省略）が設けられている。第１と第２のカートリッジ１００ａ，１００ｂはそれぞれ印刷ヘッドにインクを供給する。
【００２８】
印刷ヘッドは、インク流路と、インクを吐出するノズルと、インク吐出の駆動力を発生させる機構（例えばピエゾ方式の場合にはピエゾ素子、サーマル方式の場合にはヒーターなど）と、を有している。キャリッジ２７は、制御部２１の制御下において、矢印Ｘの方向に架設されているガイドレール２８に沿って往復移動しつつ、搬送部２２によって副走査方向に搬送されていく印刷用紙の紙面に向かってインク滴を吐出する。キャリッジ２７が往復移動する主走査方向は矢印Ｘの方向と平行である。
【００２９】
図３は、第１と第２のカートリッジ１００ａ，１００ｂが装着されている状態のキャリッジ２７を示す概略斜視図である。キャリッジ２７のホルダー部２００は、上方が開口している略直方体形状の箱体として構成されている。ホルダー部２００の内部には、第１と第２のカートリッジ１００ａ，１００ｂのそれぞれが、上面全体が上方に露出している状態で並列に収容されている。印刷ヘッドはホルダー部２００の下面に設けられている。印刷ヘッドはホルダー部２００の説明において参照される図６に図示されている。
【００３０】
第１と第２のカートリッジ１００ａ，１００ｂはそれぞれ略直方体形状を有している。第１とカートリッジ１００ａの長さ（矢印Ｙの方向の長さ）と高さ（矢印Ｚの方向の長さ）は第２のカートリッジ１００ｂとほぼ同じである。第１と第２のカートリッジ１００ａ，１００ｂは、長さと高さとがほぼ揃った状態でホルダー部２００に並列に収容される。詳細は後述するが、第１と第２のカートリッジ１００ａ，１００ｂの構成はほぼ共通している。以下の説明では、第１と第２のカートリッジ１００ａ，１００ｂを特に区別する必要がない場合には、「カートリッジ１００」と総称する。
【００３１】
カートリッジ１００は流体供給ユニットに相当し、印刷ヘッドに供給するためのインクを収容している。第１のカートリッジ１００ａは１種類の色インクを収容し、第２のカートリッジ１００ｂは種類が異なる複数の色インクを収容する。本実施形態では、第１のカートリッジ１００ａにはブラックの色インクが収容されており、第２のカートリッジ１００ｂにはシアンとイエローとマゼンタの色インクが収容されている。
【００３２】
ここで、印刷装置１０は、カートリッジ１００との間で電気的信号を伝送するための配線ケーブル３０を備えている。本実施形態では、配線ケーブル３０はフレキシブルフラットケーブル（Flexible Flat Cable;ＦＦＣ）によって構成されている。配線ケーブル３０はキャリッジ２７に設けられている電気的接続部に接続されており、印刷装置１０は当該電気的接続部を介してカートリッジ１００との間で電気信号のやりとりを実行する。
【００３３】
本実施形態の印刷装置１０では、キャリッジ２７のホルダー部２００において、カートリッジ１００の配置空間および前記の電気的接続部を含む構成部のレイアウトが工夫されていることによってキャリッジ２７が小型化されている。以下では、キャリッジ２７が備えるホルダー部２００の構成と、第１と第２のカートリッジ１００ａ，１００ｂのそれぞれの構成と、を順に説明し、その後にホルダー部２００における構成部のレイアウトについて説明する。
【００３４】
［ホルダー部の構成］
（ｉ）ホルダー部全体の構成
図４〜図７を参照してホルダー部２００の概略構成を説明する。図４はホルダー部２００を正面側の上方からみたときの上方斜視図である。図５はホルダー部２００を背面側からみたときの上方斜視図である。図６はホルダー部２００の下方斜視図である。図７はホルダー部２００の分解斜視図である。ホルダー部２００は、第１と第２のカートリッジ１００ａ，１００ｂが収容されるカートリッジ収容室２１０を有している（図４，図５）。カートリッジ収容室２１０は、５つの壁部２０１〜２０５によって囲まれている（図４〜図６）。
【００３５】
底面壁部２０１は、第１と第２のカートリッジ１００ａ，１００ｂが載置されるカートリッジ収容室２１０の底面を構成している。正面壁部２０２および背面壁部２０３はそれぞれ、底面壁部２０１の正面側の端部および背面側の端部からほぼ垂直上方に延びており、カートリッジ収容室２１０の正面および背面を構成している。第１側面壁部２０４および第２側面壁部２０５はそれぞれ、底面壁部２０１の左側端部および右側端部からほぼ垂直上方に延びており、カートリッジ収容室２１０の左側面および右側面を構成している。
【００３６】
本実施形態では、正面壁部２０２と背面壁部２０３と第１側面壁部２０４と第２側面壁部２０５とは一体成形によって形成された略四角筒形状を有する外周壁部材２０６の各側壁によって構成されている（図７）。また、底面壁部２０１は、外周壁部材２０６とは別体として形成され、外周壁部材２０６の底面側開口部に配置されるプレート部材２０７によって構成されている。外周壁部材２０６の正面壁部２０２には、２つのレバー部２３０と、２つのコネクターユニット２５０と、配線基板２８０と、カバー部材３００とが、一体的に組み合わされて取り付けられる。
【００３７】
２つのレバー部２３０はそれぞれ同じ構成を有しており、矢印Ｘの方向に一列に配設されている。レバー部２３０は第１と第２のカートリッジ１００ａ，１００ｂのそれぞれに１つずつ対応するように設けられている。各レバー部２３０は、正面壁部２０２に対して、矢印Ｙの方向に回動移動可能に取り付けられている。レバー部２３０は回動移動によってカートリッジ１００を係止する係止部として機能する（詳細は後述）。なお、本明細書において「係止する」とは、対象物に対して所定の方向から直接的または間接的に接触して当該対象物の当該所定の方向への移動を制限することを意味する。
【００３８】
コネクターユニット２５０および配線基板２８０はホルダー部２００における電気的接続部を構成する。２つのコネクターユニット２５０はそれぞれ同じ構成を有しており、２つのレバー部２３０のそれぞれの下方に１つずつ配設されている。コネクターユニット２５０は、カートリッジ１００の回路基板（後述）と電気的に接触する。配線基板２８０（図７）は、２つのコネクターユニット２５０と正面壁部２０２との間に配置されている。配線基板２８０は、コネクターユニット２５０と配線ケーブル３０との電気的接続を仲介する。
【００３９】
カバー部材３００は、ホルダー部２００の正面壁部２０２の一部を構成しており、正面壁部２０２側からレバー部２３０とコネクターユニット２５０と配線基板２８０を一体的にまとめる。レバー部２３０と、コネクターユニット２５０と、配線基板２８０の構成および機能の詳細については後述する。
【００４０】
底面壁部２０１の下面には、上述した印刷ヘッド１９０が取り付けられている（図６）。底面壁部２０１の上面には、インク受入部２１１〜２１４が設けられている（図４，図５）。インク受入部２１１〜２１４には、各カートリッジ１００ａ，１００ｂのインク供給口（後述）が接続される。各カートリッジ１００ａ，１００ｂのインクは、インク受入部２１１〜２１４を介して印刷ヘッド１９０（図３）のインク流路に導入される。各インク受入部２１１〜２１４の外周には、シール部２１５が設けられている。シール部２１５は、インクの経路に対する外気の侵入を抑制するとともに、インクの外部への漏洩を抑制する。
【００４１】
底面壁部２０１には、付勢機構２１７が設けられている。付勢機構２１７は、底面壁部２０１に載置されている各カートリッジ１００ａ，１００ｂをホルダー部２００から離間する方向（上方）に付勢する。本実施形態では、付勢機構２１７は、弦巻バネによって構成されている。付勢機構２１７によって、ホルダー部２００における各カートリッジ１００ａ，１００ｂの固定性が高められるとともに、その取り外しの際の操作性が高められている。
【００４２】
底面壁部２０１には、第１側面壁部２０４および第２側面壁部２０５に対して平行であり、底面壁部２０１からの高さが低い第１副壁部２２１および第２副壁部２２４が設けられている。第１副壁部２２１は、第１側面壁部２０４に隣り合う位置と、第２側面壁部２０５に隣り合う位置と、第１と第２のカートリッジ１００ａ，１００ｂの配置領域の境界と、に設けられている。第２副壁部２２４は、第２のカートリッジ１００ｂが配置される領域において、第２と第３のインク室（後述）の境界に設けられている。第１副壁部２２１は、第１と第２のカートリッジ１００ａ，１００ｂの位置決め部として機能する。また、第１副壁部２２１と第２副壁部２２４とは、第１と第２のカートリッジ１００ａ，１００ｂの角部がインク受入部２１１〜２１４に衝突してしまうことを防止する衝突防止部として機能する。
【００４３】
底面壁部２０１には、背面壁部２０３に隣接する位置に背面壁部２０３に対して平行に延びる第３副壁部２２５が設けられている。第３副壁部２２５の下端には、複数の嵌合穴２２７が矢印Ｘ方向に配列されている。第１と第２のカートリッジ１００ａ，１００ｂが装着される際には、各嵌合穴２２７に各カートリッジ１００ａ，１００ｂの下端に設けられている複数の突起部（後述）が挿通される。
【００４４】
以下では、図８〜図１４のいずれかを参照して、レバー部２３０と、コネクターユニット２５０と、配線基板２８０の構成を順に説明する。
【００４５】
（ｉｉ）レバー部の構成
図８，図９を参照して、レバー部２３０の構成を説明する。図８は、ホルダー部２００の正面壁部２０２に取り付けられている状態のレバー部２３０とコネクターユニット２５０と配線基板２８０とを背面側から見たときの上方斜視図である。図９は矢印Ｘの方向に沿って見たときのレバー部２３０の側面図である。図８，図９にはそれぞれ、レバー部２３０の回動軸ＲＸが図示されている。図９には、ホルダー部２００におけるコネクターユニット２５０の配置領域と、ホルダー部２００に第１と第２のカートリッジ１００ａ，１００ｂが装着されたときの各カートリッジ１００ａ，１００ｂの主係合部１２０の配置領域と、が破線で図示されている。また、図９には、吹き出し内に、レバー部２３０の第２の脚部２３１ｂの端部における取付構造が抜き出して図示されている。
【００４６】
レバー部２３０は、下方に向かって開いている矩形枠形状を有しており、第１と第２の脚部２３１ａ，２３１ｂと、架橋部２３２と、を有する。第１と第２の脚部２３１ａ，２３１ｂは、ホルダー部２００において底面壁部２０１から矢印Ｚの方向に延伸している。第１と第２の脚部２３１ａ，２３１ｂはほぼ同一の形状を有しており、矢印Ｘの方向に並列に配列されている。架橋部２３２は、矢印Ｘの方向に延伸している部位であり、第１と第２の脚部２３１ａ，２３１ｂの上端に架橋されている。
【００４７】
レバー部２３０の各脚部２３１ａ，２３１ｂの下端には矢印Ｘの方向においてそれぞれ外側に向かって突起する第１凸部２３５ａと、内側に向かって突起している第２凸部２３５ｂとが設けられている。レバー部２３０は、各脚部２３１ａ，２３１ｂの各第１凸部２３５ａが正面壁部２０２の下端に設けられている嵌合穴２９０に嵌合することによって取り付けられている（図９の吹き出し内）。これによって、レバー部２３０は、各第１凸部２３５ａの中心軸を回動軸ＲＸとして前後方向に回動移動可能である。
【００４８】
各脚部２３１ａ，２３１ｂの下端には付勢機構２３９が設けられている。本実施形態では、付勢機構２３９はトーションばねによって構成されており、各脚部２３１ａ，２３１ｂの第２凸部２３５ｂに取り付けられている。レバー部２３０は、付勢機構２３９によって、カートリッジ収容室２１０に向かって付勢された状態で所定の回動角度で静止するように係止されている。レバー部２３０は、カートリッジ収容室２１０から離れる方向の外力によって回動移動した後、当該外力が解除されたときには、付勢機構２３９の付勢力によって、前記の初期位置に戻る。
【００４９】
架橋部２３２は、当接部２３６と、操作部２３８と、を有する。当接部２３６は、架橋部２３２において、矢印Ｙの逆方向側（カートリッジ収容室２１０側）の端部に位置している。当接部２３６は、カートリッジ収容室２１０側の端部の下側の少なくとも一部が、カートリッジ１００の主係合部１２０（後述）の少なくとも一部に当接する。当接部２３６の当接によって、カートリッジ１００は、ホルダー部２００から離れる方向（矢印Ｚの方向）への移動が制限される。
【００５０】
操作部２３８は、架橋部２３２において、矢印Ｙの方向側（前方側）の端部に位置しており、当接部２３６から上方に向かって曲折している部位である。ユーザーは、操作部２３８に指先を掛けて引くことによってレバー部２３０を前方に向かって容易に回動移動させることができる。なお、操作部２３８は、ホルダー部２００において正面壁部２０２から矢印Ｙの方向に突出しないように形成されている。
【００５１】
レバー部２３０の第１と第２の脚部２３１ａ，２３１ｂの間にはコネクターユニット２５０が配置されている。コネクターユニット２５０はカートリッジ１００の回路基板（後述）と対応する傾斜角（例えば矢印Ｚ方向に対して１０°〜４５°）を有する状態で、レバー部２３０とは独立して、ホルダー部２００の正面壁部２０２に固定されている。このように、本実施形態のホルダー部２００では、レバー部２３０とコネクターユニット２５０とが互いに干渉しないように配置されている。
【００５２】
（ｉｉｉ）コネクターユニットの構成
図１０〜図１２を参照して、コネクターユニット２５０の構成を説明する。図１０はコネクターユニット２５０の後方側の面を示す概略斜視図である。図１１はコネクターユニット２５０の前方側の面を示す概略斜視図である。図１２は、図１０に示すＡ−Ａ切断におけるコネクターユニット２５０の概略断面図である。コネクターユニット２５０は、略平板状の形状を有しており、後方側の面２５１と、前方側の面２５２と、を有している。以下では、後方側の面２５１を「端子部表面２５１」と呼び、前方側の面２５２を「端子部裏面２５２」と呼ぶ。
【００５３】
端子部表面２５１（図１０）はカートリッジ収容室２１０側に向いている面である。端子部表面２５１には、上段端子部２５３と下段端子部２５４が設けられている。上段端子部２５３は、矢印Ｘの方向に配列された複数の端子２６１〜２６４を有している。下段端子部２５４は、上段端子部２５３より下方に位置しており、矢印Ｘの方向に配列された複数の端子２６５〜２６９を有している。
【００５４】
本実施形態では各端子２６１〜２６９は端子部表面２５１において矢印Ｚの方向に平行に延びている複数のスリット２５７から突出している略三角形状の金属板によって構成されている。各端子２６１〜２６９は、その厚み方向が矢印Ｘの方向と一致するように並列に配列されている。各端子２６１〜２６９は、カートリッジ１００がホルダー部２００に装着されたときに、その頂点においてカートリッジ１００が有する回路基板（後述）の対応する端子のひとつと直接的に接触する。
【００５５】
第１と第２の端子２６１，２６２はそれぞれ、上段端子部２５３において矢印Ｘの方向の両端に配置されている。第３と第４の端子２６３，２６４は第１と第２の端子２６１，２６２の間において矢印Ｘの方向に順に配置されている。第５と第６の端子２６５，２６６はそれぞれ下段端子部２５４において矢印Ｘの方向の両端に配置されている。第７と第８と第９の端子２６７，２６８，２６９は、第５と第６の端子２６５，２６６の間において、矢印Ｘの方向に順に配置されている。
【００５６】
第１と第２の端子２６１，２６２は印刷装置１０がカートリッジ１００のホルダー部２００に対する装着を検出するために用いられる（詳細は後述）。第１と第２の端子２６１，２６２は隣り合う端子の数が少ない矢印Ｘの方向における両端に配置されているため、他の端子との短絡の発生が抑制されている。また、第１と第２の端子２６１，２６２は、レバー部２３０の第１と第２の脚部２３１ａ，２３１ｂが有する延出部２３４によって保護されており、カートリッジ１００側の端子との接触不良の発生が抑制されている。
【００５７】
第３の端子２６３は、接地電極であり、カートリッジ１００の記憶装置（後述）に低電位の基準電位を供給する。第４の端子２６４は、電源端子であり、カートリッジ１００の記憶装置に高電位の電源電位を供給する。第５と第６の端子２６５，２６６は、第１と第２の端子２６１，２６２と同様に、印刷装置１０がホルダー部２００に対するカートリッジ１００の装着を検出するために用いられる。
【００５８】
第７の端子２６７は、カートリッジ１００の記憶装置にリセット信号を供給するためのリセット端子である。第８の端子２６８は、カートリッジ１００の記憶装置に印刷装置１０からクロック信号を供給するためのクロック端子である。第９の端子２６９は、カートリッジ１００の記憶装置との間でデータ信号のやりとりを行うためのデータ端子である。印刷装置１０は、第８の端子２６８を介して供給するクロック信号に基づいて、第９の端子２５９を介したシリアル転送によって、カートリッジ１００の記憶装置（後述）との間でデータをやりとりする。なお、第３の端子２６３、第４の端子２６４、第７の端子２６７、第８の端子２６８、第９の端子２６９の配置構成は上述の構成例に限られず、適宜変更可能である。
【００５９】
端子部裏面２５２（図１１）は、ホルダー部２００において配線基板２８０と対向する側の面である。端子部裏面２５２には、端子部表面２５１と同様に、上段端子部２５５と下段端子部２５６が設けられている。上段端子部２５５は、矢印Ｘの方向に配列された複数の端子２７１〜２７４を有している。下段端子部２５６は、上段端子部２５５より下方に位置しており、矢印Ｘの方向に配列された複数の端子２７５〜２７９を有している。端子部裏面２５２の各端子２７１〜２７５と端子部表面２５１の各端子２６１〜２６９とは符号末尾の数字が同じもの同士が対応しており、電気的に導通している。
【００６０】
端子部裏面２５２の各端子２７１〜２７９は、端子部表面２５１の各端子２６１〜２６９と同様に、端子部裏面２５２のスリット２５７から突出している略三角形状の金属板によって構成されている。各端子２７１〜２７９は配線基板２８０の電極部を構成する複数の電極（後述）のうちの対応するひとつに接触して電気的に接続される。
【００６１】
端子部表面２５１の各端子２６１〜２６９と端子部裏面２５２の各端子２７１〜２７９とは、各面２５１，２５２において対応する配置位置にあるもの同士が板状導電部２５８を介して接続されている（図１２）。板状導電部２５８は弾性変形可能な板状の金属部材によって構成されている。板状導電部２５８は、２つの延伸部位２５８ａ，２５８ｂと、折返部位２５８ｔと、を有している。２つの延伸部位２５８ａ，２５８ｂはそれぞれ、端子部表面２５１と端子部裏面２５２のそれぞれにおいて、各端子２６１〜２６９，２７１〜２７９から下端に向かって延伸している部位である。折返部位２５８ｔは、コネクターユニット２５０の下端において各延伸部位２５８ａ，２５８ｂが折り返して連結している部位である。
【００６２】
板状導電部２５８は、下端の折返部位２５８ｔにおいてコネクターユニット２５０に固定されており、端子部表面２５１および端子部裏面２５２のそれぞれにおける延伸部位２５８ａ，２５８ｂの間には空間ＳＰが形成されている。板状導電部２５８は、この構成によって、コネクターユニット２５０の厚み方向に弾性力を有する板バネとして機能し、各端子２６１〜２６９，２７１〜２７９は、板状導電部２５８によってそれぞれの突出方向（コネクターユニット２５０の厚み方向）に沿って付勢されている。この付勢によって、コネクターユニット２５０の各端子２６１〜２６９，２７１〜２７９は対応する端子に対する接触性が高められている。
【００６３】
（ｉｖ）配線基板の構成
図１３，図１４を参照して、配線基板２８０の構成を説明する。図１３は、配線基板２８０の上側端面とコネクターユニット２５０と対向する側の面とを対応させて示す概略図である。図１３では、各電極２９１〜２９９における接触部ＣＰａを破線で図示してある。図１４は配線基板２８０における配線の接続構成を説明するための概略図である。
【００６４】
配線基板２８０は、配線基体に相当する。本実施形態では、配線基板２８０は長方形に近い形状を有しており、矢印Ｘの方向の長さが矢印Ｚの方向の長さ（幅）よりも大きい（図１３）。本実施形態では、配線基板２８０は、ポリカーボネート製の基板が積層された多層基板として構成されている。なお、配線基板２８０は、可撓性を有する樹脂膜を基体とするフレキシブルプリント基板（Flexible Printed Circuits；ＦＰＣ）として構成されても良い。これによって、配線基板２８０をさらに薄型化・軽量化することが可能である。
【００６５】
配線基板２８０は、コネクターユニット２５０と対向する第１の面２８１と、その反対側の第２の面２８２と、を有している。第１の面２８１には、コネクターユニット２５０に電気的に接触する第１と第２の電極部２８３ａ，２８３ｂが設けられている。すなわち、第１の面２８１は基体面に相当する。第１と第２の電極部２８３ａ，２８３ｂは下端２８８よりも上端２８９に近い位置において矢印Ｘの方向に順に配列されている。カートリッジ１００がホルダー部２００に装着されると、第１の電極部２８３ａは第１のカートリッジ１００ａと電気的に接続され、第２の電極部２８３ｂは第２のカートリッジ１００ｂと電気的に接続される。
【００６６】
第１と第２の電極部２８３ａ，２８３ｂは互いに同じ構成を有しており、それぞれ、上段電極列２８６と、下段電極列２８７と、を有する。上段電極列２８６は、矢印Ｘの方向に配列された複数の電極２９１〜２９４を有している。上段電極列２８６では、第１と第２の電極２９１，２９２はそれぞれ、上段電極列２８６において矢印Ｘの方向の両端に配置されている。第３と第４の電極２９３，２９４は第１と第２の電極２９１，２９２の間において矢印Ｘの方向に順に配置されている。
【００６７】
下段電極列２８７は、上段電極列２８６より下方に位置しており、矢印Ｘの方向に配列された複数の電極２９５〜２９９を有している。下段電極列２８７では、第５と第６の電極２９５，２９６はそれぞれ下段電極列２８７において矢印Ｘの方向の両端に配置されている。第７と第８と第９の電極２９７，２９８，２９９は、第５と第６の電極２９５，２９６の間において、矢印Ｘの方向に順に配置されている。
【００６８】
配線基板２８０の各電極２９１〜２９９は、コネクターユニット２５０の端子部裏面２５２（図１１）に設けられている各端子２７１〜２７９のうちの対応する１つと接触部ＣＰａにおいて接触する。配線基板２８０の各電極２９１〜２９９と、コネクターユニット２５０の各端子２７１〜２７９とは、末尾の符号の数字が同じもの同士が対応して接触し合う。
【００６９】
配線基板２８０の第１の面２８１側には、さらに、ケーブル接続部２８５が設けられている。ケーブル接続部２８５は、第１の面２８１において、矢印Ｘの方向における第２の電極部２８３ｂ側の端部に配置されている。本実施形態では、ケーブル接続部２８５は略直方体形状を有している実装部品であり、第１の面２８１において配線基板２８０の厚み方向に突出している。ケーブル接続部２８５は、矢印Ｘの逆方向に開口する接続口２８５ｉを有している。
【００７０】
配線基板２８０は、ケーブル接続部２８５の接続口２８５ｉに配線ケーブル３０（図３）の端子が矢印Ｘの逆方向に差し込まれて嵌合することによって、配線ケーブル３０と電気的に接続される。本実施形態では、配線ケーブル３０はケーブル接続部２８５に対して着脱可能に構成されている。これによって、印刷装置１０に対するキャリッジ２７の組み付けが容易化されているとともに、印刷装置１０からのキャリッジ２７の取り外しが容易化されている。
【００７１】
配線基板２８０は、ケーブル接続部２８５に対して第１と第２の電極部２８３ａ，２８３ｂのそれぞれを電気的に並列に接続する配線群２８４をその内部に有している（図１４）。配線群２８４には、データ信号と、クロック信号と、リセット信号と、を伝送する配線や、アース配線が含まれる。第１と第２の電極部２８３ａ，２８３ｂはワイアードオア接続されているため、その出力はオープンコレクター出力とされている。
【００７２】
このような配線構成によって、第１と第２の電極部２８３ａ，２８３ｂのそれぞれに電気信号を振り分けるためのＡＳＩＣなどの素子を配線基板２８０に搭載することを省略することができる。そのため、配線基板２８０の小型化・軽量化が可能である。なお、配線基板２８０には、配線群２８４の他に、ケーブル接続部２８５と第１と第２の電極部２８３ａ，２８３ｂのそれぞれを接続する配線と、第１と第２の電極部２８３ａ，２８３ｂの間を接続する配線とが設けられても良い。これらの配線は、カートリッジ１００の装着の検出のための電気信号の伝送に用いられても良い。
【００７３】
配線基板２８０は、ホルダー部２００において、第１と第２のカートリッジ１００ａ，１００ｂの両方の第４壁部１０４にコネクターユニット２５０を挟んで対向するように配置される（図７，図８）。ホルダー部２００では、配線基板２８０の下端２８８はレバー部２３０の下端およびコネクターユニット２５０の下端とほぼ同じ高さの位置にある（図８）。
【００７４】
配線基板２８０は、第１の面２８１がコネクターユニット２５０の端子部裏面２５２に対してほぼ平行になるように、矢印Ｚの方向に対して傾斜角を有して配置される。本実施形態では、配線基板２８０は、第１の面Ｓ１の矢印Ｚの方向に対する角度が４５°以下、より好ましくは３０°以下になるように配置されている。これによって、配線基板２８０の配置領域の矢印Ｙの方向への長大化が抑制される。加えて、カートリッジ１００の装着時に発生する押圧力の矢印Ｚの逆方向への成分を第１の面Ｓ１において受け止めることができ、コネクターユニット２５０と配線基板２８０との間の電気的接続性が高められる。
【００７５】
［第１のカートリッジの構成］
図１５〜図１７を参照して第１のカートリッジ１００ａの構成の詳細を説明する。図１５は第１のカートリッジ１００ａの上方斜視図である。図１６は第１のカートリッジ１００ａの下方斜視図である。図１７は、図１５に示すＢ−Ｂ切断における第１のカートリッジ１００ａの概略断面図である。なお、図１７では、インク室１０８内の詳細な構成の図示は省略されている。
【００７６】
第１のカートリッジ１００ａは、インクを収容するためのインク室１０８（図１７）を囲む外装部を構成する６個の壁部１０１〜１０６を有している。第１壁部１０１（図１６）は、ホルダー部２００に装着されたときに、ホルダー部２００の底面壁部２０１と対向する底面を構成する。第１壁部１０１の中央には、インク室１０８に連通するインク供給口１１０が設けられている。インク供給口１１０は、第１のカートリッジ１００ａがホルダー部２００に装着されたときに、ホルダー部２００のインク受入部２１１に接続される。
【００７７】
第２壁部１０２（図１５）は、第１壁部１０１と対向する壁部であり、第１のカートリッジ１００ａの上面を構成する。第２壁部１０２は、第１のカートリッジ１００ａの本体から分離可能な蓋体１０２ｃ（図１７）によって構成されている。第２壁部１０２は、インク室１０８にインクを充填するための貫通孔であるインク受入口１１５と、インク室１０８に外気を導入するための空気流路溝１１６と、それらを上方から封止するフィルム状のシール部材１１７と、を有している。第２壁部１０２は、第４壁部１０４と隣接する端部の中央に、矢印Ｙの方向に延びて延在し、主係合部１２０の一部を構成している延在部１１３を有している。本明細書において「延在」とは、切れ間なく連続して延びていることを意味する。
【００７８】
第３壁部１０３（図１７）は第１のカートリッジ１００ａの背面を構成する壁部であり、第１のカートリッジ１００ａがホルダー部２００に装着されたときにはホルダー部２００の背面壁部２０３と対向する（図４）。第３壁部１０３の下端には、矢印Ｙに沿った方向に突起する複数の突起部１１４が設けられている。複数の突起部１１４は第１のカートリッジ１００ａがホルダー部２００に装着されるときにホルダー部２００の背面壁部２０３側の下端に設けられている嵌合穴２２７（図４，図７）に挿通されて係合する。
【００７９】
第４壁部１０４（図１５）は、第１のカートリッジ１００ａの正面を構成する壁部であり、第１のカートリッジ１００ａがホルダー部２００に装着されたときにはホルダー部２００の正面壁部２０２（図５）と対向する。第４壁部１０４には、ホルダー部２００のレバー部２３０に係止する主係合部１２０が設けられている。主係合部１２０は、矢印Ｚの方向において上方に寄った位置（第１壁部１０１よりも第２壁部１０２に近い位置）であって、矢印Ｘ方向におけるほぼ中央の位置に設けられている。
【００８０】
主係合部１２０は、第２壁部１０２からわずかに下降しつつ前方（矢印Ｙの方向）に延出している舌片状の庇部として形成されている。主係合部１２０の前方端部は、中央において局所的に凹部１２２が設けられており、凹部１２２が形成する空間によって隔てられて、第１庇部１２１と、第２庇部１２３と、に分離されている。第１庇部１２１と第２庇部１２３とはそれぞれ、ホルダー部２００のレバー部２３０と係合するときには、その上面がレバー部２３０の当接部２３６（図９）の下側と当接する。なお、主係合部１２０は凹部１２２を設けない構成であっても良い。
【００８１】
主係合部１２０の下方には、印刷装置１０との間で電気的信号のやりとりを行うための回路基板１３０が配置されている。回路基板１３０は、端子部１３１を有する表面が下方に向くように、例えば矢印Ｚ方向に対して１０°〜４５°の傾斜角を有して第４壁部１０４に固定されている。主係合部１２０の第１庇部１２１と第２庇部１２３の下面にはそれぞれ、下方に並列に垂下している第１側壁部１２５と第２側壁部１２６とが設けられている。第１側壁部１２５と第２側壁部１２６とはそれぞれ、回路基板１３０の両側において回路基板１３０の表面より前方に突出しており、回路基板１３０を保護する。なお、回路基板１３０は矢印Ｚの方向に対して上記の傾斜角を有するように固定されていなくても良いし、その形状も平板な形状に限定されることはない。
【００８２】
回路基板１３０は、端子部１３１と、記憶装置１３２と、を備えている（図１７）。端子部１３１は、ホルダー部２００のコネクターユニット２５０の複数の端子２６１〜２６９（図１０）に対応する複数の端子を有している（後述）。記憶装置１３２は、例えば、フラッシュＲＯＭなどのリライト可能な不揮発性メモリによって構成される。記憶装置１３２は、第１のカートリッジ１００ａに収容されているインクの色や残量など、インクに関する情報を不揮発的に記憶している。
【００８３】
第５壁部１０５と第６壁部１０６（図１５，図１６）とは、第１のカートリッジ１００ａの側面を構成する壁部である。第５壁部１０５と第６壁部１０６の表面には、矢印Ｚの方向に延びるリブ１４１，１４２,１４３が設けられている。各リブ１４１，１４２，１４３は、第１のカートリッジ１００ａがホルダー部２００に装着されるときに、その下端がホルダー部２００の第１副壁部２２１と当接する。これによって、ホルダー部２００に対する装着時における第１のカートリッジ１００ａの移動方向と配置姿勢とが規定される。
【００８４】
図１８は、回路基板１３０における複数の端子１５１〜１５９の配列構成を示す概略図である。図１８では、各端子１５１〜１５９における接触部ＣＰｂの位置が破線で図示されている。各端子１５１〜１５９は、ホルダー部２００のコネクターユニット２５０の端子部表面２５１における複数の端子２６１〜２６９（図１０）のうちの対応するひとつに電気的に接続可能なように上段と下段の２列に分けられて、矢印Ｘの方向に平行な配列方向に配列されている。
【００８５】
第１と第２の端子１５１，１５２はそれぞれ上段の列の両端に配置されている。第３と第４の端子１５３，１５４は第１と第２の端子１５１，１５２の間において矢印Ｘの方向に順に配置されている。第５と第６の端子１５５，１５６はそれぞれ下段の列の両端に配置されている。第７と第８と第９の端子１５７，１５８，１５９は、第５と第６の端子１５５，１５６の間において、矢印Ｘの方向に順に配置されている。回路基板１３０における各接触部ＣＰｂの配列構成は、前記の各端子１５１〜１５９の配列構成と同様になる。なお、各端子１５１〜１５９は上記の構成に限定されることはない。各端子１５１〜１５９は、例えば、上段と下段の二列に配列された構成でなくても良く、それぞれの形状も平板状に構成されていなくても良い。各端子１５１〜１５９は、それぞれの接触部ＣＰｂがコネクターユニット２５０の対応する少なくとも１つの端子２６３〜２６９と電気的に接続可能な構成であれば良い。
【００８６】
各端子１５１〜１５９は、それぞれの接触部ＣＰｂにおいて、コネクターユニット２５０の端子２６１〜２６９のうちの対応するひとつと電気的に接触して導通する。回路基板１３０の各端子１５１〜１５９とコネクターユニット２５０の端子部表面２５１の各端子２６１〜２６５とは符号末尾の数字が同じもの同士が対応している。
【００８７】
第１と第２の端子１５１，１５２は、第１のカートリッジ１００ａがホルダー部２００に正しく装着されてコネクターユニット２５０の第１と第２の端子２６１，２６２に接触したときに所定の電圧変化を生じるように構成されている。具体的には、第１と第２の端子１５１，１５２は、回路基板１３０の内部において互いに短絡されている。印刷装置１０は、コネクターユニット２５０の第１の端子２６１を介して回路基板１３０の第１の端子１５１に所定の電圧を印加し、コネクターユニット２５０の第２の端子２６２を介して、回路基板１３０の第２の端子１５２の電圧の変化を検出する。他の端子１５３〜１５９の機能は、上述した対応するコネクターユニット２５０の各端子２６３〜２６９と同様である。
【００８８】
［第２のカートリッジの構成］
図１９，図２０を参照して第２のカートリッジ１００ｂの構成を説明する。図１９は第２のカートリッジ１００ｂの上方斜視図である。図１９では、便宜上、第２のカートリッジ１００ｂの内部に形成されているインク室１０８ａ〜１０８ｃが破線で図示されている。図２０は第２のカートリッジ１００ｂの下方斜視図である。図１９，図２０では、図１５〜図１７において説明した第１のカートリッジ１００ａの構成部と共通する構成部には同じ符号を付してある。第２のカートリッジ１００ｂは、以下に説明する点以外は、第１のカートリッジ１００ａとほぼ同じ構成を有しており、第１のカートリッジ１００ａの各壁部１０１〜１０６に対応する６つの壁部１０１〜１０６を有している。
【００８９】
第２のカートリッジ１００ｂは３色のインクを収容するために矢印Ｘの方向における幅が第１のカートリッジ１００ａよりも大きく構成されており、その内部が３つのインク室１０８ａ〜１０８ｃに仕切られている。第１のインク室１０８ａは、第４壁部１０４に面する前方の領域に形成されている。第２と第３のインク室１０８ｂ，１０８ｃはそれぞれ、第１のインク室１０８ａより後方側の領域を、矢印Ｘの方向に二分することによって形成されている。第２のインク室１０８ｂは第５壁部１０５に面する側に形成されており、第３のインク室１０８ｃは第６壁部１０６に面する側に形成されている。３つのインク室１０８ａ〜１０８ｃにはそれぞれ対応するインク受入口１１５ａ〜１１５ｃが１つずつ設けられている。
【００９０】
第１壁部１０１（図２０）には、各インク室１０８ａ〜１０８ｃに対応する３つのインク供給口１１０ａ〜１１０ｃが設けられている。各インク供給口１１０ａ〜１１０ｃは、第２のカートリッジ１００ｂがホルダー部２００に装着されたときにインク受入部２１２〜２１４（図４）のうちの対応する１つと接続される。第２と第３のインク室１０８ｂ，１０８ｃの境界位置に相当する位置には、矢印Ｙの方向に直線状に延びる溝部１１８が形成されている。溝部１１８は、第２のカートリッジ１００ｂがホルダー部２００に装着されるときにホルダー部２００の第２副壁部２２４（図５）が係合する。
【００９１】
第２のカートリッジ１００ｂでは、主係合部１２０が、第２壁部１０２と隣接する端部の中央より矢印Ｘの逆方向に寄った位置に形成されている。これによって、第１と第２のカートリッジ１００ａ，１００ｂの両方がホルダー部２００に装着されたときに、それぞれの主係合部１２０が近接した位置に隣り合って配列される（図３）。
【００９２】
［ホルダー部における構成部のレイアウト］
図２１，図２２を参照して、ホルダー部２００における構成部のレイアウトを説明する。図２１は、ホルダー部２００におけるコネクターユニット２５０と配線基板２８０の配置領域を示す概略図である。図２１には、矢印Ｚの逆方向に見たときのホルダー部２００が図示されている。図２１では、ホルダー部２００には第１と第２のカートリッジ１００ａ，１００ｂの両方が装着されている。なお、図２１には、コネクターユニット２５０の配置領域と配線基板２８０の配置領域をそれぞれ一点鎖線と二点鎖線とで図示されている。図２２はカートリッジ１００が装着されている状態におけるホルダー部２００の電気的接続部の近傍部位（図２１に示されているＣ−Ｃ切断に相当する部位）の概略断面図である。図２２には便宜上、配線基板２８０上のケーブル接続部２８５の配置領域が破線で図示されている。図２２には第１のカートリッジ１００ａとの電気的接続部の近傍部位の概略断面構成が表されているが、第２のカートリッジ１００ｂとの電気的接続部の近傍部位の概略断面構成はほぼこれと同じである。
【００９３】
本実施形態のホルダー部２００では、配線基板２８０は、第１と第２のカートリッジ１００ａ，１００ｂのそれぞれの配置領域に渡って、矢印Ｘの方向に延びている（図２１）。配線基板２８０の配置領域は、矢印Ｙに沿った方向において、カートリッジ１００の配置領域と重なる。また、矢印Ｘの方向における配線基板２８０の幅ＰＷは、矢印Ｘの方向におけるカートリッジ１００の配置領域の幅ＣＷより小さい。
【００９４】
ここで、上述の「カートリッジ１００の配置領域」は、流体供給ユニット配置領域に相当し、ホルダー部２００のカートリッジ収容室２１０に装着されているときに第１と第２のカートリッジ１００ａ，１００ｂのそれぞれが占める空間である。この空間には、カートリッジ１００の筐体外部に設けられているリブや一体化されている部品などによって占められる空間も含まれる。カートリッジ１００の配置領域には、カートリッジ１００とホルダー部２００の各壁部との間の空間や、第１と第２のカートリッジ１００ａ，１００ｂの間の空間は含まれない。
【００９５】
「矢印Ｘの方向におけるカートリッジ１００の配置領域の幅」は、カートリッジ１００の配置領域の矢印Ｘの方向における両端の間の最短距離である。本実施形態では、第１のカートリッジ１００ａの第５壁部１０５と第２のカートリッジ１００ｂの第６壁部１０６との間の最短距離である。つまり、この幅には、第１と第２のカートリッジ１００ａ，１００ｂの間の空間の幅が含まれている。
【００９６】
矢印Ｙに沿った方向は、配線基板２８０からカートリッジ１００の配置領域に向かう第１の方向に相当する。矢印Ｘに沿った方向は、第１と第２の電極部２８３ａ，２８３ｂからケーブル接続部２８５に向かう第１の面２８１に沿った第２の方向に相当する。また、矢印Ｘに沿った方向は印刷装置１０におけるキャリッジ２７の主走査方向でもある。矢印Ｚに沿った方向は、前記の第１と第２の方向に交差する第３の方向に相当する。なお、矢印Ｚに沿った方向は、カートリッジ１００がホルダー部２００に装着される方向や、カートリッジ１００がホルダー部２００のレバー部２３０に係止される方向にも相当する。
【００９７】
配線基板２８０の第１と第２の電極部２８３ａ，２８３ｂとケーブル接続部２８５とは、配線基板２８０とカートリッジ１００の配置領域との間において矢印Ｘの方向に沿って配列されている。２つのコネクターユニット２５０と配線基板２８０のケーブル接続部２８５とは矢印Ｙに沿った方向において、カートリッジ１００の配置領域と重なる位置に配置されている。各コネクターユニット２５０と配線基板２８０とは、矢印Ｚに沿った方向においてレバー部２３０の架橋部２３２に重なる位置にある。また、カートリッジ１００の主係合部１２０は矢印Ｚに沿った方向においてコネクターユニット２５０と重なる位置にある。
【００９８】
本実施形態のホルダー部２００では、配線基板２８０の第１の面２８１に２つの電極部２８３ａ，２８３ｂとケーブル接続部２８５とが集約されており、ケーブル接続部２８５の配置領域は矢印Ｘの方向においてコネクターユニット２５０と重なり合う（図２２）。そのため、配線基板２８０の後方にケーブル接続部２８５が突出することがなく、その分だけホルダー部２００は矢印Ｙの方向において小型化されている。
【００９９】
ここで、例えば、ケーブル接続部２８５を配線基板２８０の第２の面２８２に配置した場合には、ケーブル接続部２８５が配線基板２８０の後方に突出してしまう。この場合には、矢印Ｚの方向に対する配線基板２８０の第１の面２８１の配置角度が０°に近いほどケーブル接続部２８５の厚みが矢印Ｙの方向におけるホルダー部２００の長大化に寄与することになる。これに対して、本実施形態のホルダー部２００であれば、矢印Ｙの方向における大型化を抑制しつつ、ケーブル接続部２８５の厚みを増加させることが可能である。
【０１００】
本実施形態のホルダー部２００であれば、配線基板２８０の左右の端部は矢印Ｘの方向においてカートリッジ１００の配置領域より外側に延出していない（図２１）。つまり、配線基板２８０によってホルダー部２００が矢印Ｘの方向に大型化してしまうことが抑制されている。ホルダー部２００が主走査方向である矢印Ｘに沿った方向に小型化されていれば、印刷装置１０内の限られた空間内におけるキャリッジ２７の走査可能範囲を増大させることができる。つまり、本実施形態のキャリッジ２７であれば、印刷装置１０の矢印Ｘの方向における印刷可能範囲を拡大することが可能である。
【０１０１】
また、本実施形態のケーブル接続部２８５の接続口２８５ｉは矢印Ｘの方向に開口している。従って、配線ケーブル３０（図３）が矢印Ｙに沿った方向において第２のカートリッジ１００ｂに干渉してしまうことが抑制されている。よって、配線ケーブル３０の配設のためにホルダー部２００が矢印Ｙの方向に大型化してしまうことが抑制されている。
【０１０２】
本実施形態のホルダー部２００であれば、コネクターユニット２５０と配線基板２８０とはレバー部２３０の架橋部２３２の下方に位置している（図２２）。特に本実施形態のホルダー部２００では、配線基板２８０は矢印Ｙの方向においてレバー部２３０の操作部２３８における端部よりもコネクターユニット２５０側に配置されている。また、コネクターユニット２５０はカートリッジ１００の主係合部１２０の下方に配置されている。このように、本実施形態のホルダー部２００ではカートリッジ１００の係止のための機構と電気的接続部とが矢印Ｙの方向において集約配置されており、ホルダー部２００は矢印Ｙの方向において小型化されている。
【０１０３】
加えて、本実施形態の第２のカートリッジ１００ｂは、矢印Ｙの方向に突出している主係合部１２０および回路基板１３０が矢印Ｘの方向において中心位置から第１のカートリッジ１００ａの配置領域側にオフセットされた位置にある（図２１）。これに対して、ホルダー部２００では第２のカートリッジ１００ｂの主係合部１２０および回路基板１３０の矢印Ｘの方向に隣り合う位置に配線基板２８０において矢印Ｙの逆方向に突出しているケーブル接続部２８５が配置されている。このように、本実施形態のホルダー部２００ではデッドスペースの発生が抑制されており、空間利用効率が高められている。
【０１０４】
上記の他に、本実施形態の配線基板２８０では、第１と第２の電極部２８３ａ，２８３ｂが矢印Ｘの方向において互いに隣り合う位置に配置されており、ケーブル接続部２８５が配線基板２８０の端部位置に配置されている。すなわち、配線基板２８０では、各構成部が機能別に集約して配置されており、その構成が簡易化されている。また、ケーブル接続部２８５が配線基板２８０の端部に位置しているため、キャリッジ２７の外部からの配線ケーブル３０の配設および接続が容易化されている。
【０１０５】
［第１実施形態のまとめ］
以上のように、本実施形態の印刷装置１０では、キャリッジ２７のホルダー部２００において、コネクターユニット２５０および配線基板２８０などの電気的接続部を含む各構成部のレイアウトが工夫されており、空間利用効率が高められている。よって、印刷装置１０のキャリッジ２７の小型化・軽量化が可能であり、ひいては印刷装置１０の小型化・軽量化が可能である。
【０１０６】
B．第２実施形態：
図２３は、本発明の第２実施形態としての印刷装置１０Ａの構成を説明するための概略図である。図２３では、キャリッジ２７とインク供給部４００およびインク導入管４０１以外の構成部の図示は便宜上省略されている。第２実施形態の印刷装置１０Ａは第１実施形態で説明したのと同じキャリッジ２７を備えており、第１実施形態で説明したのと同じカートリッジ１００が装着される。第２実施形態の印刷装置１０Ａは、カートリッジ１００に対してインクの連続供給が可能に構成されている点以外は、第１実施形態の印刷装置１０の構成とほぼ同じである。
【０１０７】
第２実施形態の印刷装置１０Ａは、インク供給部４００と、複数のインク導入管４０１と、を備えている。インク供給部４００は、流体収容容器に相当し、インクを色ごとに貯留するインク容器を有している。複数のインク導入管４０１は、インクの各色に対応しており、インク供給部４００のインク容器と、カートリッジ１００の各色のインク受入口１１５，１１５ａ〜１１５ｃと、を接続している。複数のインク導入管４０１は、例えば、可撓性を有する樹脂性のチューブによって構成される。
【０１０８】
第２実施形態の印刷装置１０Ａであれば、第１実施形態の印刷装置１０と同様に、キャリッジ２７が小型化されており、印刷装置１０Ａの小型化が可能である。また、第１実施形態で説明したその他の効果を同様に得ることができる。これに加えて、第２実施形態の印刷装置１０Ａであれば、インク供給部４００からカートリッジ１００にインクが供給されるため、カートリッジ１００におけるインクを収容するための空間の容積を低減することが可能である。従って、カートリッジ１００およびホルダー部２００のさらなる小型化・軽量化が可能である。
【０１０９】
C．第３実施形態：
図２４は第３実施形態の印刷装置１０Ｂが備えるキャリッジ２７Ｂの構成を示す概略図である。図２４には、矢印Ｚの逆方向に見たときのキャリッジ２７Ｂのホルダー部２００が図示されている。図２４では、キャリッジ２７Ｂのホルダー部２００にカートリッジは装着されていない。図２４には、配線基板２８０Ｂの配置領域と電極部２８３およびケーブル接続部２８５の位置とが破線で図示され、カートリッジの配置領域が一点鎖線で図示されている。
【０１１０】
第３実施形態の印刷装置１０Ｂにおけるキャリッジ２７Ｂ以外の構成は、第１実施形態とほぼ同じである。第３実施形態のキャリッジ２７Ｂの構成は、以下に説明する点以外は、第１実施形態のキャリッジ２７とほぼ同じである。なお、第３実施形態のキャリッジ２７Ｂに装着されるカートリッジは、異なる４色のインクを供給可能に構成されている点以外は、第１実施形態において説明した第２のカートリッジ１００ｂとほぼ同じ構成を有している。
【０１１１】
第３実施形態のキャリッジ２７Ｂのホルダー部２００Ｂは、１つのカートリッジを装着可能に構成されている。第３実施形態のホルダー部２００Ｂの構成は、第１実施形態のホルダー部２００における第１のカートリッジ１００ａを収容するための部位が省略された構成に相当する。第３実施形態のホルダー部２００に配置されている配線基板２８０Ｂの構成は、第１の実施形態の配線基板２８０において第１の電極部２８３ａが形成されている部位が省略された構成に相当する。
【０１１２】
第３実施形態のホルダー部２００Ｂでは、レバー部２３０とコネクターユニット２５０とは１つずつのみ設けられている。第３実施形態のホルダー部２００Ｂの底面壁部２０１には第４のインク受入部２１６が追加されている。４つのインク受入部２１２〜２１４，２１６はインク収容室内２１０において略格子状に配列されている。
【０１１３】
第３実施形態の配線基板２８０Ｂでは、コネクターユニット２５０と電気的に接続する１つの電極部２８３と、配線ケーブル３０が接続されるケーブル接続部２８５と、は第１の面２８１に配置されている。また、矢印Ｙに沿った方向において配線基板２８０Ｂは、装着されているカートリッジと重なり合う位置に配置されている。加えて、矢印Ｘの方向における配線基板２８０Ｂの幅ＰＷは、矢印Ｘの方向におけるカートリッジの配置領域の幅ＣＷより小さい。
【０１１４】
第３実施形態の印刷装置１０Ｂであっても、ホルダー部２００Ｂにおける各構成部のレイアウトによって第１実施形態のキャリッジ２７と同様にキャリッジ２７Ｂが小型化されている。その他に、第３実施形態の印刷装置１０Ｂであれば、第１実施形態で説明したのと同様な効果を得ることができる。
【０１１５】
D．第４実施形態：
図２５は第４実施形態としての印刷装置１０Ｃの構成を説明するための概略図である。図２５では、キャリッジ２７とキャリッジ２７に装着されるカートリッジ１００Ｃ以外の構成部の図示は便宜上省略されている。第４実施形態の印刷装置１０Ｃは第１実施形態で説明したのと同じキャリッジ２７を備えている。ただし、第４実施形態の印刷装置１０Ｃでは、キャリッジ２７に第１実施形態で説明した第１と第２のカートリッジ１００ａ，１００ｂが一体化されたものに相当するカートリッジ１００Ｃが１つのみ装着される。第４実施形態の印刷装置１０Ｃであっても、第１実施形態と同様にキャリッジ２７が小型化されている。この他に、第４実施形態の印刷装置１０Ｃであれば第１実施形態で説明したのと同様な効果を得ることができる。
【０１１６】
E．変形例：
E1．変形例１：
上記第１実施形態ではキャリッジ２７が単色のインクを収容する第１のカートリッジ１００ａと複数色のインクを収容する第２のカートリッジ１００ｂとを同時に装着可能に構成されている。これに対して、キャリッジ２７は上記第３実施形態および第４実施形態のように、複数色インクを収容するカートリッジを１つ装着可能に構成されても良い。あるいは、キャリッジ２７は、単色のインクを１つのみ装着可能に構成されていても良いし、単色のインクを収容するカートリッジや複数色のインクを収容するカートリッジを複数個同時に装着可能に構成されていても良い。キャリッジ２７では、複数のカートリッジが矢印Ｘの方向に配列されていなくても良く、矢印Ｙの方向に配列されていても良い。
【０１１７】
E2．変形例２：
上記各実施形態では、流体供給ユニットであるカートリッジ１００，１００Ｃが回動可能なレバー部２３０によってキャリッジ２７，２７Ｂのホルダー部２００，２００Ｂに対して係止されている。これに対して、カートリッジ１００，１００Ｃは、キャリッジ２７，２７Ｂのホルダー部２００，２００Ｂに対して回動可能なレバー部２３０以外の係止部によって係止されても良い。例えば、カートリッジ１００，１００Ｃは、矢印Ｙに沿った方向に直線移動可能なスライダー式のレバー部や位置が固定されている凸部や段差部などによってホルダー部２００，２００Ｂに係止されても良い。また、ホルダー部２００，２００Ｂにおいて、カートリッジ１００，１００Ｃを係止する係止部は省略されても良い。カートリッジ１００，１００Ｃはホルダー部２００に係止されることなく、単に載置されているだけの構成であっても良い。
【０１１８】
E3．変形例３：
上記の各実施形態では、配線基板２８０，２８０Ｂの矢印Ｘの方向における幅ＰＷは矢印Ｘの方向におけるカートリッジ１００，１００Ｃの配置領域の幅ＣＷより小さく構成されている（ＰＷ＜ＣＷ）。これに対して、配線基板２８０，２８０Ｂの矢印Ｘの方向における幅ＰＷはカートリッジ１００，１００Ｃの配置領域の幅ＣＷとほぼ同じ幅であっても良い。配線基板２８０，２８０Ｂの矢印Ｘの方向における幅ＰＷはカートリッジ１００，１００Ｃの配置領域の幅ＣＷと等しい、または当該幅ＣＷより小さければ良い（ＰＷ≦ＣＷ）。
【０１１９】
E4．変形例４：
上記の各実施形態では、キャリッジ２７，２７Ｂではホルダー部２００，２００Ｂはインク収容室内２１０を囲む壁部２０１〜２０５を有している。これに対して、ホルダー部２００，２００Ｂの壁部２０１〜２０５の一部あるいは全部は省略されても良い。キャリッジ２７，２７Ｂのホルダー部２００，２００Ｂは、カートリッジ１００，１００Ｃを配置可能に構成されていれば良く、上記の壁部２０１〜２０５の代わりに例えば柱状のフレーム部材が格子状に組まれた構成を有していても良い。
【０１２０】
E5．変形例５：
上記の各実施形態では、キャリッジ２７，２７Ｂが備える配線基体としての配線基板２８０，２８０Ｂは板状の形状を有している。これに対して、キャリッジ２７，２７Ｂが備える配線基体は板状の形状を有していなくても良い。キャリッジ２７，２７Ｂが備える配線基体は、例えば、多角柱形状を有していても良いし、半円柱状の形状を有していても良い。キャリッジ２７，２７Ｂが備える配線基体は電極部とケーブル接続部とが配置されている基体面を有していれば良い。また、上記の各実施形態では、配線基板２８０，２８０Ｂの電極部２８３ａ，２８３ｂは、上端２８９に寄った位置に配置されている。これに対して、配線基板２８０，２８０Ｂの電極部２８３，２８３ａ，２８３ｂは、例えば、下端２８８に寄った位置に配置されていても良いし、上端２８９と下端２８８の中央近傍に配置されていても良い。
【０１２１】
E6．変形例６：
上記の各実施形態では、コネクターユニット２５０および配線基板２８０，２８０Ｂによって構成されるキャリッジ２７，２７Ｂの電気的接続部は、ホルダー部２００の正面壁部２０２に設けられている。これに対して、コネクターユニット２５０および配線基板２８０，２８０Ｂを含む電気的接続部は、ホルダー部２００の正面壁部２０２以外の部位に設けられていても良い。コネクターユニット２５０および配線基板２８０，２８０Ｂを含む電気的接続部は、例えば、ホルダー部２００，２００Ｂにおいて背面壁部２０３や第１側面壁部２０４，第２側面壁部２０５に設けられていても良い。この場合には、キャリッジ２７，２７Ｂが往復移動する主走査方向は第２の方向と一致しない。
【０１２２】
E7．変形例７：
上記の各実施形態では、係止部であるレバー部２３０はコネクターユニット２５０および配線基板２８０，２８０Ｂの上方に配置されている。これに対して、レバー部２３０はコネクターユニット２５０および配線基板２８０，２８０Ｂの上方以外の位置に設けられていても良い。レバー部２３０は、例えば、ホルダー部２００，２００Ｂにおいて背面壁部２０３や第１側面壁部２０４，第２側面壁部２０５に設けられていても良い。
【０１２３】
E8．変形例８：
上記の各実施形態では、ケーブル接続部２８５は配線基板２８０，２８０Ｂの第１の面２８１に取り付けられた実装部品として構成されている。これに対して、ケーブル接続部２８５は、配線ケーブル３０を配線基板２８０，２８０Ｂの第１の面２８１に半田付けする部位として構成されていても良い。これによって配線基板２８０，２８０Ｂをその厚み方向において小型化できる。また、配線基板２８０，２８０Ｂを軽量化することができる。
【０１２４】
E9．変形例９：
上記の各実施形態では、配線基板２８０，２８０Ｂのケーブル接続部２８５の接続口２８５ｉは矢印Ｘに沿った方向に開口していることによって、配線ケーブル３０が第１の面２８１に沿った矢印Ｘの逆方向に接続されている。これに対して、ケーブル接続部２８５の接続口２８５ｉは矢印Ｘに沿った方向以外の方向に開口していても良い。例えば、ケーブル接続部２８５の接続口２８５ｉは、第１の面２８１に沿って上方や下方に向かって開口していても良いし、第１の面２８１に交わる方向に開口していても良い。
【０１２５】
E10．変形例１０：
上記の第１実施形態、第２実施形態、第４実施形態では、配線基板２８０は第１と第２の電極部２８３ａ，２８３ｂが配線群２８４によってケーブル接続部２８５と並列に接続されている。これに対して、第１と第２の電極部２８３ａ，２８３ｂはそれぞれ、ケーブル接続部２８５に対して個別に接続されても良い。
【０１２６】
E11．変形例１１：
上記の各実施形態において、コネクターユニット２５０および配線基板２８０，２８０Ｂは端子を有する面が矢印Ｚの方向に対して傾斜角を有して配置されている。これに対して、コネクターユニット２５０および配線基板２８０は端子を有する面が矢印Ｚの方向にほぼ平行になるように配置されても良い。また、上記の各実施形態では、コネクターユニット２５０の下端と配線基板２８０，２８０Ｂの下端２８８とは矢印Ｚの方向においてほぼ同じ高さ位置にある。しかしながら、コネクターユニット２５０の下端と配線基板２８０，２８０Ｂの下端２８８とは矢印Ｚの方向において互いにオフセットされた位置に配置されていても良い。
【０１２７】
E12．変形例１２：
上記の各実施形態のコネクターユニット２５０および配線基板２８０，２８０Ｂはそれぞれ、９種類の端子を備え、９カ所の接触点を有している。これに対して、コネクターユニット２５０および配線基板２８０が有する端子の種類は９種類よりも少なくても良く、例えば、１種類でも良い。あるいは、コネクターユニット２５０および配線基板２８０が有する端子の種類は９種類よりも多くても良く、例えば、１０種類であっても良い。コネクターユニット２５０と配線基板２８０との間の接触点の数は、端子の種類の数に応じて増減しても良い。また、上記の各実施形態のコネクターユニット２５０および配線基板２８０では複数の端子が上下２列に配列されており、接触部ＣＰａが上下２列に配列されている。これに対して、コネクターユニット２５０および配線基板２８０では複数の端子および接触部ＣＰａが１列のみ配列されていても良いし、上下に３列以上配列されていても良い。また、複数の端子および接触部ＣＰａは列をなしていなくても良く、コネクターユニット２５０および配線基板２８０の面上においてランダムに配置されていても良い。その他に、配線基板２８０が備える第１と第２の電極部２８６ａ，２８６ｂの各電極２９１〜２９９の形状および配列構成は同じでなくても良く、互いに異なる構成を有していても良い。
【０１２８】
E13．変形例１３：
上記の各実施形態では、コネクターユニット２５０の端子部表面２５１における各端子２６１〜２６９はカートリッジ１００の回路基板１３０における各端子１５１〜１５９に直接的に接触している。また、コネクターユニット２５０の端子部裏面２５２における各端子２７１〜２７９は配線基板２８０，２８０Ｂにおける各電極２９１〜２９９に直接的に接触している。これに対して、コネクターユニット２５０の端子部表面２５１における各端子２６１〜２６９はカートリッジ１００の回路基板１３０における各端子１５１〜１５９に対して、電気的に接触可能であれば良く、他の導電部材を介して接触しても良い。同様に、コネクターユニット２５０の端子部裏面２５２における各端子２７１〜２７９は、配線基板２８０，２８０Ｂにおける各電極２９１〜２９９に対して、他の導電部材を介して接触しても良い。
【０１２９】
E14．変形例１４：
上記の各実施形態のコネクターユニット２５０は、略平板上の形状を有している。これに対して、コネクターユニット２５０は略平板上以外の形状を有していても良い。コネクターユニット２５０は、矢印Ｙの方向に平行な断面の形状が略台形形状になっており、端子部表面２５１と端子部裏面２５２の矢印Ｚの方向に対する角度がそれぞれ異なっていても良い。コネクターユニット２５０は、カートリッジ収容室２１０や配線基板２８０と対向する側が曲面によって構成されていても良い。
【０１３０】
E15．変形例１５：
上記の各実施形態のコネクターユニット２５０は、略三角形状の各端子２６１〜２６９，２７１〜２７９と、２つの延伸部位２５８ａ，２５８ｂと、折返部位２５８ｔと、を有している板状導電部２５８と、を備えている。これに対して、コネクターユニット２５０の各端子２６１〜２６９，２７１〜２７９は略三角形状を有していなくても良く、例えば、半球状の凸部として構成されていても良い。あるいは、平板状の電極として構成されていても良い。また、板状導電部２５８は弾性変形可能に構成されていなくても良く、各端子２６１〜２６９，２７１〜２７９は板状導電部２５８の代わりに導電線や印刷された配線パターンによって電気的に接続されていても良い。
【０１３１】
E16．変形例１６：
上記の各実施形態では、キャリッジ２７，２７Ｂは矢印Ｘに沿った方向を主走査方向として往復移動可能に構成されている。これに対して、キャリッジ２７，２７Ｂは矢印Ｘに沿った方向以外の方向に往復移動可能に構成されていても良い。印刷装置１０，１０Ｂは、キャリッジ２７，２７Ｂが矢印Ｘ，Ｙの二方向に移動可能に構成されているプロッターとして構成されていても良い。あるいは、キャリッジ２７，２７Ｂは往復移動可能に構成されていなくても良く、定位置に固定されていても良い。印刷装置１０，１０Ｂは、ラインプリンターとして構成されていても良い。
【０１３２】
E17．変形例１７：
上記の各実施形態において、カートリッジ１００，１００Ｃの回路基板１３０は矢印Ｙの方向に突出している。これに対して、回路基板１３０は矢印Ｙの方向に突出していなくても良く、第４壁部１０４に埋め込まれていても良い。
【０１３３】
E18．変形例１８：
上記の各実施形態のカートリッジ１００，１００Ｃは、ホルダー部２００，２００Ｂのレバー部２３０に係止する主係合部１２０を備えている。これに対して、カートリッジ１００，１００Ｃの主係合部１２０は異なる構成を有していても良い。カートリッジ１００の主係合部１２０は、矢印Ｙの方向に突出していなくても良く、例えばカートリッジ１００，１００Ｃの筐体表面の段差部や溝部、凹部、穴部として構成されていても良い。主係合部１２０はカートリッジ１００，１００Ｃがホルダー部２００，２００Ｂに装着されている状態において、コネクターユニット２５０や配線基板２８０の上方に位置していなくても良い。
【０１３４】
E19．変形例１９：
上記の各実施形態のカートリッジ１００，１００Ｃは、６つの壁部１０１〜１０６を有する略直方体形状の筐体を備えている。これに対して、カートリッジ１００は、６つの壁部１０１〜１０６を有する略直方体形状の筐体を備えていなくても良い。カートリッジ１００は、柱状のフレームで構成された枠内にインクが収容された可撓性の袋状部材が保持されている構成であっても良い。
【０１３５】
E20．変形例２０：
本発明の流体噴射装置は、上記各実施形態および変形例で説明したインクジェットプリンターである印刷装置１０，１０Ａ〜１０Ｃ以外の態様においても実現可能である。本発明の流体噴射装置は、例えば、洗浄液などの液体を洗浄対象に噴射して洗浄する高圧洗浄装置として構成されても良い。本発明の流体噴射装置は、例えば、流体として粉体や気体を噴射する粉体噴射装置、気体噴射装置として構成されていても良い。また、本発明の流体噴射装置は、流体を霧状にして噴射する噴霧装置として構成されていても良い。
【０１３６】
本発明は、上述の実施形態や実施例、変形例に限られるものではなく、その趣旨を逸脱しない範囲において種々の構成で実現することができる。例えば、発明の概要の欄に記載した各形態中の技術的特徴に対応する実施形態、実施例、変形例中の技術的特徴は、上述の課題の一部又は全部を解決するために、あるいは、上述の効果の一部又は全部を達成するために、適宜、差し替えや、組み合わせを行うことが可能である。また、その技術的特徴が本明細書中に必須なものとして説明されていなければ、適宜、削除することが可能である。
【符号の説明】
【０１３７】
１０，１０Ａ〜１０Ｃ…印刷装置
１１…筐体
１２…給紙口
１３…上面カバー
１４…排紙口
１６…操作部
２０…本体部
２１…制御部
２２…搬送部
２３…印刷部
２５…搬送ローラー
２７，２７Ｂ…キャリッジ
２８…ガイドレール
３０…配線ケーブル
１００ａ，１００ｂ…インクカートリッジ
１０１〜１０６…壁部
１０２ｃ…蓋体
１０８，１０８ａ〜１０８ｃ…インク室
１１０，１１０ａ〜１１０ｃ…インク供給口
１１３…延在部
１１４…突起部
１１５，１１５ａ〜１１５ｃ…インク受入口
１１６…空気流路溝
１１７…シール部材
１１８…溝部
１２０…主係合部
１２１…第１庇部
１２２…凹部
１２３…第２庇部
１２５…第１側壁部
１２６…第２側壁部
１２７…端面
１３０…回路基板
１３１…端子部
１３２…記憶装置
１５１〜１５９…端子
１９０…印刷ヘッド
２００，２００Ｂ…ホルダー部
２０１〜２０５…壁部
２０６…外周壁部材
２０７…プレート部材
２１０…カートリッジ収容室
２１１〜２１４，２１６…インク受入部
２１５…シール部
２１７…付勢機構
２２１…第１副壁部
２２４…第２副壁部
２２５…第３副壁部
２２７…嵌合穴
２３０…レバー部
２３１ａ，２３１ｂ…脚部
２３２…架橋部
２３５ａ，２３５ｂ…凸部
２３６…当接部
２３８…操作部
２３９…付勢機構
２５０…コネクターユニット
２５１…端子部表面
２５２…端子部裏面
２５３…上段端子部
２５４…下段端子部
２５５…上段端子部
２５６…下段端子部
２５７…スリット
２５８…板状導電部
２５８ａ，２５８ｂ…延伸部位
２５８ｔ…折返部位
２６１〜２６９，２７１〜２７９…端子
２８０，２８０Ｂ…配線基板
２８１…第１の面
２８２…第２の面
２８３，２８３ａ，２８３ｂ…電極部
２８４…配線群
２８５…ケーブル接続部
２８６…上段電極列
２８７…下段電極列
２８８…下端
２８９…上端
２９０…嵌合穴
２９１〜２９９…電極
３００…カバー部材
４００…インク供給部
４０１…インク導入管
ＣＰａ，ＣＰｂ…接触部
【図１】
0006402507.tif 000002
【図２】
0006402507.tif 000003
【図３】
0006402507.tif 000004
【図４】
0006402507.tif 000005
【図５】
0006402507.tif 000006
【図６】
0006402507.tif 000007
【図７】
0006402507.tif 000008
【図８】
0006402507.tif 000009
【図９】
0006402507.tif 000010
【図１０】
0006402507.tif 000011
【図１１】
0006402507.tif 000012
【図１２】
0006402507.tif 000013
【図１３】
0006402507.tif 000014
【図１４】
0006402507.tif 000015
【図１５】
0006402507.tif 000016
【図１６】
0006402507.tif 000017
【図１７】
0006402507.tif 000018
【図１８】
0006402507.tif 000019
【図１９】
0006402507.tif 000020
【図２０】
0006402507.tif 000021
【図２１】
0006402507.tif 000022
【図２２】
0006402507.tif 000023
【図２３】
0006402507.tif 000024
【図２４】
0006402507.tif 000025
【図２５】
0006402507.tif 000026